(57)【要約】タフティングマシンのためのフックモジュール（１１）アセンブリが提供され、該フックモジュールアセンブリは、レベルカットループタフティングマシンの破損したおよび損傷したフック（５０）を交換可能とするものである。該フックモジュールアセンブリ（１１）は、一連のスロット（５６）を有するモジュラーブロックを含み、該各スロットにはレベルカットループフック（５０）が受け入れられる。ロック機構は、該フックを、モジュールにおけるそれらのそれぞれのスロット内に固定し、修理および交換の要求に応じてモジュールから個々のフックを取り外すのを可能にする。
2008527199.tif 000002
【特許請求の範囲】
【請求項１】
レベルカットループタフティングマシンにおいて使用するフックモジュールであって、
モジュール本体であって、その中に形成された一連のスロットを有するモジュール本体と、
複数のレベルカットループフックであって、それぞれが該モジュール本体に形成された該スロットの１つに受け入れられ、各フックがベースと前方に突き出た端部とを含む、複数のレベルカットループフックと、
該モジュール本体に取り外し可能に係合する一連のファスナーであって、該ファスナーの各々は、該モジュール本体の少なくとも１つのフックを保持するように、少なくとも１つの該フックのベースに対してロック部材を係合し、かつ押圧する、一連のファスナーと
を備え、
該フックの各々は、該モジュール内での個々のフックの交換が可能であるように、該フックの該ベースに係合している該ファスナーが係合解除されたとき、該モジュール本体から個々に取り外し可能である、
フックモジュール。
【請求項２】
前記ロック部材は、バネを備えている、請求項１に記載のフックモジュール。
【請求項３】
前記バネは、１対のフックの一部分に対して係合し、かつ支える、請求項２に記載のフックモジュール。
【請求項４】
前記各ファスナーは、前記ロック部材を少なくとも２つの隣接するフックに係合するように押圧する、請求項１に記載のフックモジュール。
【請求項５】
前記ファスナーは、それぞれ、止めネジを備えており、各２つのフックに対して１つの止めネジがある、請求項１に記載のフックモジュール。
【請求項６】
前記モジュール本体は、該モジュール本体の側面に沿ったロケータをさらに備えており、該ロケータは、フックバーに沿って該モジュール本体を取り付けるために該フックバーに係合するように構成されている、請求項１に記載のフックモジュール。
【請求項７】
前記ロケータは、前記モジュール本体の前記側面から突き出たタブを備えている、請求項６に記載のフックモジュール。
【請求項８】
前記ロケータは、前記モジュール本体の前記側面から突き出た１つ以上のピンを備えている、請求項６に記載のフックモジュール。
【請求項９】
タフティングマシンであって、
フレームと、
少なくとも１つの往復ニードルバーであって、該往復ニードルバーに沿って連続して間隔をあけて配列された複数のニードルを有しており、該ニードルは一連のヤーンを運び、該一連のヤーンは、該タフティングマシンを通過するバッキング材料にカットおよびループパイルタフトを形成する、往復ニードルバーと、
該ニードルバーの下に取り付けられたレベルカットループのルーパアセンブリであって、
一連のモジュールであって、各々が、その中に形成された複数のスロットを有する、一連のモジュールと、
複数のレベルカットループフックであって、その各々が該スロットのうちの１つに取り外し可能なように受け入れられる複数のレベルカットループフックと、
該モジュールの各々に受け入れられる一連のファスナーであって、それぞれが、該フックを該モジュール内に固定するように該フックの少なくとも１つの一部に取り外し可能に係合し、フックの数のほぼ半数のファスナーがある、一連のファスナーと、
該レベルカットループフックの近くの引き返した位置と伸長された位置との間で移動可能な一連のクリップであって、該レベルカットループフックは、ヤーンのループおよびカットパイルタフトの形成を制御する、一連のクリップと
を備えている、ルーパアセンブリと、
該タフティングマシンを介して該バッキング材料をフィードするバッキングフィードロールと
を備えた、タフティングマシン。
【請求項１０】
前記レベルカットルーパの少なくとも１つに対する支持力を提供することによって、該レベルカットルーパを前記モジュール内に固定するように、前記ファスナーによって係合された少なくとも１つのロック部材をさらに備えている、請求項９に記載のタフティングマシン。
【請求項１１】
前記少なくとも１つのロック部材は、バネを備えている、請求項１０に記載のタフティングマシン。
【請求項１２】
前記モジュール本体は、該モジュール本体の側面に沿ったロケータであって、フックバーに係合するように構成されたロケータをさらに備えている、請求項９に記載のタフティングマシン。
【請求項１３】
前記ロケータは、前記モジュール本体の前記側面から突き出たタブを備えている、請求項１２に記載のタフティングマシン。
【請求項１４】
前記ロケータは、前記モジュール本体の前記側面から突き出た少なくとも１つのピンを備えている、請求項１２に記載のタフティングマシン。
【請求項１５】
前記モジュール本体は、プラスチックから形成されている、請求項９に記載のタフティングマシン。
【請求項１６】
前記モジュール本体は、金属材料から機械加工されているか、または該金属材料から鋳造されている、請求項１に記載のタフティングマシン。
【発明の詳細な説明】
【技術分野】
【０００１】
本発明は、広く、タフティングマシンのためのゲージパーツの設計およびアセンブリに関し、特に、レベルカットループタフティングマシンにおけるフックまたはルーパの容易かつ効率的な交換を可能にするレベルカットループタフティングマシンのためのフックまたはルーパモジュールに関する。
【背景技術】
【０００２】
タフティングマシンの動作の間に、往復ニードルバーに沿って取り付けられた、一連のヤーンを運ぶ一連のニードルは、バッキング材料を貫き、バッキング材料にヤーンのカットおよびループパイルタフトを形成する一連のフックまたはルーパによって係合される。このような係合は、タフティングマシンの効率的でかつ正確な動作を確実にするために、ニードルおよびフックまたはルーパの位置および動作における精密な精度が要求される。それゆえ、タフティングマシンの組み立ての間に、このようなゲージパーツが、それらのニードルおよびフックまたはルーパのバーに沿って正確におよび一貫して間隔をあけて配置されることを確実にするために、ニードル、ルーパ、フックおよび／または他のゲージパーツが、それらのそれぞれのニードルおよび／またはフックもしくはルーパのバーに沿って正確に取り付けられることが重要である。ゲージパーツが調整不良である場合に、個々のゲージエレメントが、破損され得るか、または損傷を受け得、ヤーンのタフトが誤って縫われ得、結果として不正確または不規則なパターンが形成され、このカーペットは処分される必要がある。
【０００３】
従って、典型的には、正確に連続して間隔をあけた５〜１０またはそれ以上の個々のゲージエレメントを含む、ルーパまたはフックが固体ブロックまたはモジュール内に鋳造されまたは取り付けられている鋳造モジュールを含む、モジュールのルーパまたはフックのようなゲージパーツを組み立てることは、通常のプラクティスになっている。これらのモジュールは、次いで、フックバーまたはニードルバー上に取り付けることにより、実質的に一貫性のある正確なゲージパーツの間隔を確実にすることを補助する。しかしながら、典型的に、このような鋳造モジュールを用いると、特にこのようなモジュールがより小さなゲージ（すなわち１０ゲージ以下）のタフティングマシンにおいて使用される場合に、１つのフックまたはルーパが故障する（例えば、破損または鈍くなる）と、全体のフックまたはルーパモジュールが交換されなければならないという問題が生じる。モジュールのこのような交換は高価であり、モジュールの各々のいくつかの損傷していない、または完全な機能のフックまたはルーパの取り外しおよび交換という結果を生じ得、このことはまだ動作可能なモジュールにおける他のフック／ルーパの潜在的な浪費につながる。このことは、典型的に、伸長されたまたは収縮された位置に移動するように選択的に作動可能な一連のゲートまたはクリップをさらに含むレベルカットループ（ＬＣＬ）タフティングマシンではさらなる問題となる。各フックは、一般的に、開くことにより、カットパイルタフトを形成するようにフックがヤーンを掴むことを可能にし、または閉じることにより、ヤーンを掴むことを防ぐ、対応するクリップまたはゲートを有し、このようにして、ヤーンをフックから押圧することによりループパイルタフトを形成する。
【発明の開示】
【発明が解決しようとする課題】
【０００４】
従って、当該技術分野における前述の問題ならびに他の関連するおよび関連しない問題に向けられた交換可能なフックモジュールに対するニーズが存在することが理解され得る。
【課題を解決するための手段】
【０００５】
簡単に記載すると、本発明は、概して、タフティングマシンにおける使用のための、典型的には、レベルカットループ（「ＬＣＬ」）タイプタフティングマシンにおける使用のための交換可能なフックまたはルーパモジュールに関する。本発明のフックモジュールは、一般的に、機械加工されたまたはモールドされたプラスチックからなる、機械加工されたまたは鋳造された金属からなる、あるいは他の類似の高い強度の材料からなるモジュール本体を含み、かつその中に形成された一連の間隔をあけて配置したスロットを有する上部または上部セクションと、中間セクションと、下部の垂直に伸びる部分またはセクションとを含む。一連のルーパまたはフックは、一般的に、モジュール本体に形成されたスロット内に受け入れられ、ニードルがバッキング材料を貫通してループおよびカットパイルタフトをバッキング材料に形成するとき、タフティングマシンのニードルからヤーンのループに係合して引くためにその中に保持される。モジュール本体は、モジュール本体の後方に向く側に沿うピン、タブ、突起または他の類似の機構などの１つ以上のロケーティングデバイスをさらに含み得る。
【０００６】
フックまたはルーパの各々は、一般的に、ニードルがバッキング材料を貫通するときに、タフティングマシンのニードルに係合するカーブされたまたはフックされた前端部またはビルを有する本体と、モジュール本体に形成されたスロットの１つ内で受け入れられ、かつ該スロットに沿って延びる後部セクションとを含む。スロットまたはキャビティは、一般的に、各ルーパまたはフックの本体の一方の側に、ＬＣＬクリップまたはゲートがこのようなスロットまたはキャビティのそれぞれにスライド可能に受け入れられるようにして形成される。各クリップは、一般的に、第１の近位端部または前方端部を有し、かつその関連するルーパまたはフックの前方セクションまたはビルに沿って移動可能であり、各クリップは、モジュール本体の後部から外側に突き出す後部端部または遠位端部を有し、該後部端部または遠位端部は、モジュール本体を介してクリップを往復させる駆動機構に接続されている。クリップの各々は、ヤーンのループが、ルーパまたはフックによって掴まれかつ捕らえられること、あるいはルーパまたはフックの各々のビル部から押圧することにより、必要に応じてカットまたはループパイルタフトを形成することを可能にするため必要に応じて、モジュール本体を介して横方向に移動する。
【０００７】
各モジュール本体は、一般的に、その中間または中央のセクションを介して延びるチャネルまたは通路を含む。１つ以上のロック部材は、このチャネルまたは通路内で受け入れられ、各ルーパまたはフックの本体の下部エッジと接触し、または係合するバネ板、バーまたは類似のバイアス部材を備え得る。一連のファスナーは、モジュール本体を介して挿入され得ることにより、１つ以上のロック部材を、モジュール本体内で受け入れられるルーパまたはフックの１つ以上の下部エッジに対して係合しかつ押圧して、モジュール本体のルーパまたはフックを固定する。典型的に、モジュール本体内で受け入れられる各２つのルーパまたはフックに対して１つのファスナーがあるが、より多いまたはより少ない数のファスナーもまた、必要または要求に応じて使用され得る。ルーパまたはフックが破損し、鈍くなり、あるいは損傷を受ける場合には、特定のルーパまたはフックに対するファスナーが取り外されることにより、モジュール全体の交換を必要とするよりむしろ、圧力を解放し、結果としてルーパまたはフックの素早く容易な取り外しおよび交換を可能にする。
【０００８】
本発明の様々な特徴、目的および利点が、以下の詳細な記載のレビューのときに、添付する図面と関連させれば当業者にとって明白になる。
【発明を実施するための最良の形態】
【０００９】
さて、類似する数字がいくつかの図を通して類似の部分を示す複数の図面をより詳細に参照すると、図１は、タフティングマシン１０を概略的に図示し、該タフティングマシン１０において、本発明の交換可能なルーパまたはフックモジュール１１が使用され得る。典型的に、図１に示されるように、タフティングマシン１０は、バッキング材料がタフティングゾーン１７を介して矢印１８の方向に移動する場合に、Ｙ１およびＹ２で示される一連のヤーンを、全体が１４で図示されるヤーンのループおよびカットパイルタフトをバッキング材料１６に形成する、１２および１３で示される一連のニードルにフィードするレベルカットループ（「ＬＣＬ」）タイプのタフティングマシンを備えている。タフティングマシン１０は、一般的に、上部ヘッド部２１とベッド部２２とを含むフレーム１９を含み、ベッド部２２の上方をバッキング材料１６が通る。主駆動シャフト２３は、１つ以上のニードルバー２４を駆動し、ニードルバー２４がそれに沿って、間隔をあけた行のニードル１２および１３を運ぶ。２行のニードルを有する１つのニードルバーが示されるが、１行のニードル、単一のシフト可能なニードルバーまたは１対のシフト可能なニードルバーも、そこに沿った互い違いの（ｓｔａｇｇｅｒｅｄ）行に取り付けられたニードルと共に使用され得ることが理解される。本発明は、ＬＣＬマシンに加えて他のタイプのタフティングマシンと共に使用され得ることもまた理解される。
【００１０】
図１に示されるように、矢印１８の方向のバッキング材料１６のフィードは、一般的に、タフティングマシン制御システム３１によって制御される、Ｍで示されるバッキングフィードモータの制御下で、一連のバッキングフィードロール３０によって制御され、該タフティングマシン制御システム３１は、一般的に、制御装置３２を含み、該制御装置３２は、様々なパターン情報および命令によりプログラムされ得る。さらに、ヤーンＹ１およびＹ２は、一般的に、ヤーンフィードシステム３５によってフィードされ、該ヤーンフィードシステム３５は、典型的に、一連のヤーンフィードロール３６、３７、３８、３９を含む。４つのヤーンフィードロールのみが示されるが、一般的に、制御装置３２内のパターン情報に従って、ヤーンフィードロールシステム３５の動作がタフティングマシン制御システムによって制御されて、追加のヤーンフィードロールも、使用され得ることが理解される。１つのまたは２つのエンドスクロールアタッチメント、例えば、Ｃａｒｄ−Ｍｏｎｒｏｅ  ＣｏｒｐｏｒａｔｉｏｎのＩｎｆｉｎｉｔｙおよびＩｎｆｉｎｉｔｙ２Ｅパターンアタッチメントのような様々なタイプのヤーンフィード機構、ならびに様々な他のロールおよびスクロールタイプのパターンアタッチメントも使用され得ることが理解される。
【００１１】
図１に示されるように、本発明の交換可能なフックモジュール１１は、一般的に、タフティングマシンのベッド２２の下に所定の位置に取り付けられたＬＣＬフックまたはルーパの配列または機構４５の一部として利用されることにより、ニードルがバッキング材料を貫通するときに、ヤーンのループをそこから引き、バッキング材料１６にループおよびカットパイルタフト１４を形成するように、ニードル１２および１３に係合する。ＬＣＬフックまたはルーパ機構４５は、一般的に、典型的に往復駆動機構４７上に取り付けられたフックバー４６を、一般的にそれに沿って連続して間隔をあけて取り付けられた本発明の交換可能なフックモジュール１１と共に含む。駆動機構は、一般的に、ニードルがバッキング材料を貫通するときに、フックバー４６ひいては交換可能なフックモジュール１１を、矢印４８および４８’の方向に往復させ、または振動することにより、交換可能なフックモジュール１１のルーパまたはフック５０を、ニードル１２および１３と係合させるように移動させる。さらに、ナイフ４９は、一般的に、駆動機構上に取り付けられ、駆動機構によって選択的に往復させられることによりルーパまたはフック５０上に掴まれたヤーンのループと係合してカットパイルタフトを形成する。
【００１２】
図２〜図４に示されるように、本発明の交換可能なフックモジュール１１の各々は、一般的に、モジュール本体またはブロック５１を含み、該モジュール本体またはブロック５１には、ルーパまたはフック５０は、取り外し可能に取り付けられている。各モジュール本体５１は、一般的に、例えば、鉄、アルミニウムまたは合金材料のような金属材料のブロックから機械加工されたような、または該金属材料のブロックの鋳造物のような、剛性で、丈夫な、実質的に高い強度の材料から形成されるが、様々な丈夫な高い強度のプラスチックまたは他の合成材料も、射出成形された、ロトモールドされた、またはこのようなプラスチック材料から形成されたモジュール本体と共に使用され得ることも当業者によって理解される。各モジュール本体は、一般的に、実質的に長方形形状の上部セクションまたは上部５２と、先細または斜めの中間あるいは中央セクション５３と、垂直に延びる下部または底部５４とをさらに含み、下部または底部５４は、上部セクション５２から低減された幅またはプロフィールを有し得る。図２および図３に示されるように、上部セクション５２は、一般的に、上部セクション５２を介して、モジュール本体５１の前面５７から後面５８に向かって横方向に延びる一連のスロットまたはチャネル５６を有する。フック５０の各々は、一般的に、該フックを各モジュール本体内に所定の間隔で連続して取り付けるために、スロット内で受け入れられ、かつスロットに沿ってスライドされる。
【００１３】
典型的に、各モジュール本体５１内に受け入れられ、かつ取り外し可能に取り付けられた約５〜１０のルーパまたはフック５０があり得る。しかしながら、より少ないまたはわずかな数のフックまたはルーパ５０も、本発明の原理に従って形成された交換可能なフックモジュールのモジュール本体において使用され得ることが、当業者によって理解される。図２〜図４に示されるように、フックまたはルーパ５０の各々は、一般的に、鉄または他の類似の材料からスタンプされるような剛性で丈夫な材料から形成される。各ルーパまたはフックはまた、一般的に、細長い本体６１を含み、該細長い本体６１は、細長い本体６１から前方に突き出た、フックされた前部またはビル部６２と、前部６２から反対の方向に延びる後部または尾部６３とを有する。各ルーパまたはフック５０の後部６３は、一般的に、図２および図３で示されるように、モジュール本体にフックまたはルーパを取り付ける間に、モジュール本体５１内に形成されたスロットまたはチャネル５６の１つに受け入れられる。チャネルまたはリセス６４は、一般的に、各ルーパまたはフック５０の本体６１の側面に沿って、さらに形成され、本体の長さに沿って後方に伸びる。
【００１４】
図２および図４に示されるように、ＬＣＬクリップまたはゲート６６は、一般的に、各フック５０のスロット６４内にスライド可能に受け入れられる。クリップ６６の各々は、一般的に、プラスチックまたは他の類似の実質的に剛性で丈夫な材料のような材料から形成された細長い本体６７を含み、尖った第１または前方端部６８と、モジュール本体５１を介して長手方向に延び、その関連するルーパまたはフック５０のスロット６４に沿った後方端部６９とを有する。各クリップの後方端部６９は、一般的に、モジュール本体５１の後面５８から外側に突き出す。各クリップは、一般的に、タフティングマシン１０に対して、ＬＣＬフックまたはルーパ機構４５のコネクタ７２（図１）によって係合され、該コネクタ７２は、一般的に、シリンダ７３のようなアクチュエータにさらに取り付けられる。シリンダ７３の点火は、タフティングマシン制御システム３１の制御装置３２によって制御されることにより、各シリンダを選択的に作動し、または係合させ、結果としてクリップ６６が、図２および図４に示されるように、矢印７４および７４’の方向に選択的に伸長および収縮させられ、これによりヤーンのループを、バッキング材料においてヤーンのループおよびカットパイルタフトを形成する必要に応じて、それらのルーパまたはフックの前部またはビル部６２から外すように選択的に係合しかつ押圧する。
【００１５】
図２および図３に示されるように、長手方向に延びる通路またはチャネル７６は、一般的に、各モジュール本体５１を介して形成される。各チャネル７６は、一般的に、その中にロック部材７７を受け入れる。各ロック部材７７は、板バネ、バーまたは他の類似のバイアス部材またはロック部材を含み得、かつ金属またはプラスチック材料から形成され得、または他の場合には、各ルーパまたはフック５０の底部または下部側面７８（図３）に対して受け入れられ、かつ支えられる実質的に平坦な一片の弾性材料を含み得る。図２および図３に示されるように、ファスナー８０は、各モジュール本体５１の中間セクション５３に形成された一連のファスナー開口部またはリセス８１内に受け入れられる。ファスナー８０の各々は、止めネジ、デテントまたは他の類似のタイプあるいは取り外し可能なファスナーを含み得、そのファスナー開口部８１を介して受け入れられる。ファスナーがそれらのリセスに沿って移動するときに、ファスナーがロック部材７７と係合するように移動することにより、ロック部材７７の一部を、ルーパまたはフック５０の１つ以上の底部面７８と係合するように上方に押すまたは押圧する。典型的に、各２つまたは３つのルーパまたはフックに対して約１つの止めネジがあるが、より多くのまたはわずかなファスナー、すなわち各３つまたは４つのルーパまたはフックに対して１つのファスナーもまた提供され得る。
【００１６】
図２および図３にさらに示されるように、モジュールデテントまたはファスナー開口部８２は、各モジュール本体の下部セクション５４を介して形成され得、かつデテント、止めネジまたは他の類似のファスナーのようなファスナーを受け入れるように構成され得、ファスナー開口部８２を介してフックバー上にモジュール本体を取り付ける。１つ以上のピン８６（図３および図４）、タブ（図４にファントムライン８７によって示される）または各モジュール本体５１の後部側面５８と共に形成されるか、または後部側面５８に取り付けられた他の類似の突出または突起のようなロケーティングデバイスがまた提供されることにより、本発明の交換可能なフックモジュール１１を、タフティングマシンのフックバーに沿って位置決めし、かつ取り付けることを補助し得る。
【００１７】
本発明の交換可能なフックモジュールの使用において、万一１つ以上のルーパまたはフック５０が、動作の間に、磨耗される、破損するまたは曲がるといった損傷を受けても、５〜１０個以上のルーパまたはフックのモジュール全体を交換する必要がある代わりに、損傷を受けたルーパまたはフックの各々に対するファスナーまたは複数のファスナー８０が、単に取り除かれ得、フックは、その中に形成されたリセス６４にそって同様にスライドするそれぞれのＬＣＬクリップと共に、それらの受け入れスロット５６からスライドし、これにより個々の損傷を受けたルーパまたはフックの交換を可能にする。代替のルーパまたはフックは、次いで、単に、受け入れスロット５６に、ルーパまたはフックに形成されたリセス６４のスロットに受け入れられ、かつ該スロットに沿ってスライドする関連するＬＣＬクリップと共に挿入され得る。その後、交換されたルーパまたはフックに関連するファスナー８０は、モジュール本体内で新しい代替のルーパまたはフックをロックするように交換される。
【００１８】
本発明は、このように、各フックまたはルーパが、ルーパまたはフックが、モジュール本体内で永久的にモールドされるかまたは固定されることを必要とせずに、ＬＣＬタイプのタフティングマシンのようなタフティングマシン内で使用するためのルーパまたはフックモジュール内に個々に挿入され、かつ取り外されることを可能にする。代わりの個々のルーパまたはフックは、所定の間隔でレジスタ内にセットされ得、所定の位置に取り外し可能に保持されることにより、１つか２つの破損したルーパまたはフックを修理するためにフックモジュール全体の交換を必要とせずに、素早く容易な個々の交換を可能にする。
【００１９】
本発明は、特定の実施形態を参照して上で議論されたが、様々な変形、追加および変更が、本発明の精神および範囲から逸脱することなくなされ得ることが当業者によって理解される。
【図面の簡単な説明】
【００２０】
【図１】図１は、本発明の交換可能なフックモジュールを含むレベルカットループタフティングマシンを概して図示する側立面図である。
【図２】図２は、本発明の原理に従うフックモジュールの斜視図である。
【図３】図３は、図２のフックモジュールの分解組み立て斜視図である。
【図４】図４は、図２に図示されるような本発明のフックモジュールの側立面図である。
【図１】
2008527199.tif 000003
【図２】
2008527199.tif 000004
【図３】
2008527199.tif 000005
【図４】
2008527199.tif 000006
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
レベルカットループタフティングマシンにおいて用いられるフックモジュールであって、
モジュール本体であって、その中に形成された一連のスロットを有するモジュール本体と、
複数のレベルカットループフックであって、それぞれがモジュール本体に形成された該スロットの一つに受け入れられ、各フックがベースと前方に突き出た端部とを有する、複数のレベルカットループフックと、
該モジュール本体を通して、該レベルカットループフックに隣接した収縮位置と伸長位置との間で移動可能な一連のチップと、
該モジュール本体に取り外し可能に係合する一連のファスナーであって、該ファスナーの各々は、該モジュール本体の少なくとも１つのフックを保持するように、少なくとも１つの該フックのベースに対してロック部材を係合させかつ押圧する、一連のファスナーと
を備え、
該フックの各々は、該モジュール内での個々のフックの交換が可能になるように、該フックの該ベースに係合している該ファスナーが係合解除されたときに、該モジュール本体から個々に取り外し可能である、
フックモジュール。
【請求項２】
前記ロック部材は、バネを備えている、請求項１に記載のフックモジュール。
【請求項３】
前記バネは、１対のフックの一部分に対して係合し、かつ支える、請求項２に記載のフックモジュール。
【請求項４】
前記各ファスナーは、前記ロック部材を少なくとも２つの隣接するフックに係合するように押圧する、請求項１に記載のフックモジュール。
【請求項５】
前記ファスナーは、それぞれ、止めネジを備えており、各２つのフックに対して１つの止めネジがある、請求項１に記載のフックモジュール。
【請求項６】
前記モジュール本体は、該モジュール本体の側面に沿ったロケータをさらに備えており、該ロケータは、フックバーに沿って該モジュール本体を取り付けるために該フックバーに係合するように構成されている、請求項１に記載のフックモジュール。
【請求項７】
前記ロケータは、前記モジュール本体の前記側面から突き出たタブを備えている、請求項６に記載のフックモジュール。
【請求項８】
前記ロケータは、前記モジュール本体の前記側面から突き出た１つ以上のピンを備えている、請求項６に記載のフックモジュール。
【請求項９】
タフティングマシンであって、
フレームと、
少なくとも１つの往復ニードルバーであって、該往復ニードルバーに沿って連続して間隔をあけて配列された複数のニードルを有しており、該ニードルは一連のヤーンを運び、該一連のヤーンは、該タフティングマシンを通過するバッキング材料にカットおよびループパイルタフトを形成する、往復ニードルバーと、
該ニードルバーの下に取り付けられたレベルカットループのルーパアセンブリであって、
一連のモジュールであって、各々が、その中に形成された複数のスロットを有する、一連のモジュールと、
複数のレベルカットループフックであって、その各々が該スロットのうちの１つに取り外し可能なように受け入れられる複数のレベルカットループフックと、
該モジュールの各々に受け入れられる一連のファスナーであって、それぞれが、該フックを該モジュール内に固定するように該フックの少なくとも１つの一部に取り外し可能に係合し、フックの数のほぼ半数のファスナーがある、一連のファスナーと、
該レベルカットループフックの近くの収縮された位置と伸長された位置との間で移動可能な一連のクリップであって、該レベルカットループフックは、ヤーンのループおよびカットパイルタフトの形成を制御する、一連のクリップと
を備えている、ルーパアセンブリと、
該タフティングマシンを介して該バッキング材料をフィードするバッキングフィードロールと
を備えた、タフティングマシン。
【請求項１０】
前記レベルカットルーパの少なくとも１つに対する支持力を提供することによって、該レベルカットルーパを前記モジュール内に固定するように、前記ファスナーによって係合された少なくとも１つのロック部材をさらに備えている、請求項９に記載のタフティングマシン。
【請求項１１】
前記少なくとも１つのロック部材は、バネを備えている、請求項１０に記載のタフティングマシン。
【請求項１２】
前記モジュール本体は、該モジュール本体の側面に沿ったロケータであって、フックバーに係合するように構成されたロケータをさらに備えている、請求項９に記載のタフティングマシン。
【請求項１３】
前記ロケータは、前記モジュール本体の前記側面から突き出たタブを備えている、請求項１２に記載のタフティングマシン。
【請求項１４】
前記ロケータは、前記モジュール本体の前記側面から突き出た少なくとも１つのピンを備えている、請求項１２に記載のタフティングマシン。
【請求項１５】
前記モジュール本体は、プラスチックから形成されている、請求項９に記載のタフティングマシン。
【請求項１６】
前記モジュール本体は、金属材料から機械加工されているか、または該金属材料から鋳造されている、請求項１に記載のタフティングマシン。
【国際調査報告】
2008527199.tif 000007
2008527199.tif 000008